(57)【要約】【課題】  より多くの情報を購買者に与え、購買者に対し購買意欲をより高めることができる、商品、商品の包装または商品陳列の用に供するものに取り付けられる商品タグおよび広告宣伝のためのポスタを提供する。【解決手段】  記憶手段（メモリ１６１，１６２ａ）に商品タグ１を取り付けるべき商品の内容および／または宣伝広告についての音声情報が記憶されている。そして、購買者による再生スイッチ１２の操作（押下等）を受けた制御手段（ＣＰＵ１６２）により、スピーカ１１から当該記憶された音声情報を再生させるべく制御される。【選択図】          図１
2006023366.tif 000002
【特許請求の範囲】
【請求項１】
商品、商品の包装または商品陳列の用に供するものに取り付けられる商品タグであって、
前記商品の内容および／または宣伝広告についての音声情報が記憶される記憶手段と、
前記音声情報を再生するスピーカと、
前記音声情報の再生を開始するための再生スイッチと、
当該再生スイッチの操作に基づいて、前記記憶手段から音声情報を読み出し、前記スピーカから再生させる制御を行う制御手段とを具備することを特徴とする商品タグ。
【請求項２】
前記記憶手段、前記スピーカ、前記再生スイッチおよび前記制御手段は、一基板上に実装されることを特徴とする請求項１記載の商品タグ。
【請求項３】
外部から前記記憶手段に音声情報を記憶させるための外部端子を具備することを特徴とする請求項１または２記載の商品タグ。
【請求項４】
外部から前記記憶手段に音声情報を記憶させるための無線アンテナを具備することを特徴とする請求項１または２記載の商品タグ。
【請求項５】
前記音声情報を前記記憶手段に記憶可能なマイクと、
当該記憶を開始するための記憶スイッチとを具備することを特徴とする請求項１記載の商品タグ。
【請求項６】
前記記憶手段、前記スピーカ、前記再生スイッチ、前記制御手段、前記マイクおよび前記記憶スイッチは、一基板上に実装されることを特徴とする請求項５記載の商品タグ。
【請求項７】
前記商品の内容および／または宣伝広告に関連する情報が表示されたカードを取り付け可能なカード取り付け手段を具備することを特徴とする請求項１〜６のいずれかに記載の商品タグ。
【請求項８】
広告宣伝のためのポスタであって、
前記広告宣伝の内容についての音声情報が記憶される記憶手段と、
前記音声情報を再生するスピーカと、
前記音声情報の再生を開始するための再生スイッチと、
当該再生スイッチの操作に基づいて、前記記憶手段から音声情報を読み出し、前記スピーカから再生させる制御を行う制御手段とを具備することを特徴とするポスタ。
【発明の詳細な説明】
【技術分野】
【０００１】
本発明は、商品、商品の包装または商品陳列の用に供するものに取り付けられる商品タグおよび広告宣伝のためのポスタに関する。
【背景技術】
【０００２】
商品を販売する際に購買者に対して当該商品の内容を説明したり、購買意欲を掻き立てさせるために商品、商品の包装または商品陳列の用に供するものに取り付けられる商品タグが公知である。例えば、ハンガーラックに掛けられたスーツの袖ボタンに商品タグが取り付けられたり、ワインボトル等を収納した状態で商品棚に陳列可能なパッケージの一部として商品タグが設けられたりしている。このような商品タグには、ブランド名や商品名、商品の特徴、価格や割引率等、宣伝広告および販売促進のための内容が絵や写真、文字等により表示される（例えば、特許文献１参照）。また、このような商品タグは、商品の製造者が出荷の際に商品に予め取り付けるものや、商品の販売者（販売店の店員等）が商品陳列の際にＰＯＰ広告（購買時点広告）として取り付けるもの等、様々である。
【０００３】
また、商品等の販売促進や広告宣伝等を目的として、駅や店頭等に掲示するためのポスタも公知である（例えば、特許文献２参照）。例えば、音楽ＣＤの新譜の内容（名称、発売日、ジャケット写真等）を記載したり、美術館の特別展の案内を記載したポスタである。
【０００４】
上記の商品タグまたはポスタによれば、購買者（購買予定者）が当該商品タグやポスタを見ることによって、商品を購入するか否かを決めたり、前もって商品購入の準備（前売り券購入、予約等）を行ったりすることができる。
【特許文献１】特開２００４−１７０７３５号公報
【特許文献２】特開２００２−２４４６０１号公報
【発明の開示】
【発明が解決しようとする課題】
【０００５】
しかし、このような従来の商品タグおよびポスタにおいては、以下のような問題があった。まず、従来の商品タグにおいては、商品や商品の包装に取り付けることが多いため、商品タグをあまり大きくすることができず、商品タグに掲載する情報が十分ではないと言う問題があった。したがって、従来の商品タグに記載された情報だけでは、購買者に対して十分なアピールができない一方で、購買者にとっても、知りたい情報を得ることができず、結局店員を呼んで来て聞いたりしなければならず、購入意欲を削ぐ結果ともなり得る問題があった。
【０００６】
また、従来のポスタにおいては、大きな面積を使えるものの、視覚的効果や遠くからでも分かり易く表示するという性質上、あまり細かい字体で記載することはできないし、一目見て把握し難い表示は採用し難いため、情報の量や質に限界があった。これを解決するために、電子表示装置を用いた電子ポスタも公知となっているが、大量に設置する必要のある販売促進用のポスタには、コストの高騰が避けられず採用し難い問題があった。
【０００７】
本発明は、かかる従来技術の問題点を解決するべくなされたもので、より多くの情報を購買者に与え、購買者に対し購買意欲をより高めることができる、商品、商品の包装または商品陳列の用に供するものに取り付けられる商品タグおよび広告宣伝のためのポスタを提供することを目的とする。
【課題を解決するための手段】
【０００８】
本発明に係る商品タグは、商品、商品の包装または商品陳列の用に供するものに取り付けられる商品タグであって、前記商品の内容および／または宣伝広告についての音声情報が記憶される記憶手段と、前記音声情報を再生するスピーカと、前記音声情報の再生を開始するための再生スイッチと、当該再生スイッチの操作に基づいて、前記記憶手段から音声情報を読み出し、前記スピーカから再生させる制御を行う制御手段とを具備するものである。
【０００９】
上記構成の商品タグによれば、記憶手段に商品タグを取り付けるべき商品の内容および／または宣伝広告についての音声情報が記憶されている。そして、購買者による再生スイッチの操作（押下等）を受けた制御手段により、スピーカから当該記憶された音声情報を再生させるべく制御される。
【００１０】
これにより、所定の商品についての情報を知りたい購買者が当該商品、商品の包装または商品陳列の用に供するものに取り付けられている再生スイッチを操作すると、当該商品についての音声情報（例えば、材料等商品自体の内容、価格、生産者（製造者）の声、販売店店員のお勧め情報等）がスピーカから再生される。
【００１１】
したがって、購買者は、記憶手段に記憶された音声情報により、より多くの情報を得ることができ、また、生産者の生の声等、より興味を引かせる情報を得ることができるため、購買者の購買意欲をより高めることができる。
【００１２】
一の好ましい態様は、外部から前記記憶手段に音声情報を記憶させるための外部端子を具備するように構成される。
【００１３】
この場合、外部端子に外部の録音装置を接続することにより、記憶手段に音声情報を記憶させることができる。したがって、商品タグが商品に取り付けられている際に余分な構成を極力省略することにより商品タグのコストを下げることができるとともに、音声情報として外部の録音装置に一度記憶して（声を吹き込んで）おけば、同じ商品についていちいち商品タグごとに音声情報を記憶させる（声を吹き込む）必要がなくなり、手間を省くことができる。
【００１４】
他の好ましい態様は、外部から前記記憶手段に音声情報を記憶させるための無線アンテナを具備するように構成される。
【００１５】
この場合、外部の録音装置から無線通信を行うことにより、記憶手段に音声情報を無線記憶させることができる。したがって、商品タグが商品に取り付けられている際に余分な構成を極力省略することにより商品タグのコストを下げることができるとともに、音声情報として外部の録音装置に一度記憶して（声を吹き込んで）おけば、同じ商品についていちいち商品タグごとに音声情報を記憶させる（声を吹き込む）必要がなくなり、手間を省くことができる。さらに、一の外部の録音装置から同時に複数の商品タグに対して記憶させることができるため、より効率的に記憶作業を行うことができる。
【００１６】
また、他の好ましい態様は、前記音声情報を前記記憶手段に記憶可能なマイクと、当該記憶を開始するための記憶スイッチとを具備するように構成される。
【００１７】
この場合、商品の生産者（製造者）または販売店の店員等が記憶スイッチを操作（押下等）することにより、記憶手段への音声記憶（録音）が可能となり、生産者等がマイクを介して商品についての音声情報を記憶手段に記憶させることができる。
【００１８】
これにより、外部機器を使用することなく、商品タグ単体で記録／再生が可能となる。また、商品タグを再利用することができるため、汎用性が向上する。特に、販売店において、商品タグが取り付けられた商品が売れた後に、音声情報の異なる別の商品に対して商品タグを取り付けるべく、当該別の商品についての音声情報を記憶し直すことを容易に行うことができる。
【００１９】
好ましくは、前記記憶手段、前記スピーカ、前記再生スイッチおよび前記制御手段は、一基板上に実装されるように構成される。
【００２０】
もしくは、前記記憶手段、前記スピーカ、前記再生スイッチ、前記制御手段、前記マイクおよび前記記憶スイッチは、一基板上に実装されるように構成される。
【００２１】
これらの場合、上記の構成要素が一基板上に実装されるため、コンパクトかつ低価格に構成することができ、様々な用途の商品タグに容易に適用させることができる。
【００２２】
好ましくは、前記商品の内容および／または宣伝広告に関連する情報が表示されたカードを取り付け可能なカード取り付け手段を具備するように構成される。
【００２３】
この場合、カード取り付け手段に、商品の内容および／または宣伝広告に関連する情報が表示されたカードが取り付けられる。
【００２４】
これにより、購買者は、音声情報からだけでなく、視覚を通じても商品についての情報を得ることができる。
【００２５】
本発明に係るポスタは、広告宣伝のためのポスタであって、前記広告宣伝の内容についての音声情報が記憶される記憶手段と、前記音声情報を再生するスピーカと、前記音声情報の再生を開始するための再生スイッチと、当該再生スイッチの操作に基づいて、前記記憶手段から音声情報を読み出し、前記スピーカから再生させる制御を行う制御手段とを具備するものである。
【００２６】
上記構成のポスタによれば、記憶手段に広告宣伝の内容についての音声情報が記憶されている。そして、購買者による再生スイッチの操作（押下等）を受けた制御手段により、スピーカから当該記憶された音声情報を再生させる。
【００２７】
これにより、ポスタに掲載された広告宣伝の内容についてより多くの情報を得たい者（購買予定者等）がポスタに取り付けられている再生スイッチを操作すると、ポスタに掲載された広告宣伝の内容についての音声情報（例えば、掲載商品のより詳細な内容、宣伝文句等）がスピーカから再生されるべく制御される。
【００２８】
したがって、記憶手段に記憶された音声情報により、掲載内容についてより多くの情報を得ることができた購買予定者等は、ポスタに掲載された内容についての興味をより高めることができるため、ポスタの広告宣伝効果をより高めることができる。
【発明の効果】
【００２９】
本発明に係る商品タグによれば、購買者は、記憶手段に記憶された音声情報により、より多くの情報を得ることができ、また、生産者の生の声等、より興味を引かせる情報を得ることができるため、購買者の購買意欲をより高めることができる。
【００３０】
また、本発明に係るポスタによれば、記憶手段に記憶された音声情報により、掲載内容についてより多くの情報を得ることができた購買予定者等は、ポスタに掲載された内容についての興味をより高めることができるため、ポスタの広告宣伝効果をより高めることができる。
【発明を実施するための最良の形態】
【００３１】
以下、添付図面を参照しつつ、本発明を実施するための最良の形態について説明する。まず、本発明に係る商品タグについて説明する。図１は本発明の第１実施形態に係る商品タグを示す図である。図１（ａ）は商品タグの外部構成を示す図であり、図１（ｂ）は図１（ａ）の商品タグの内部構成を説明するための概略図である。
【００３２】
本発明の第１実施形態に係る商品タグは、図１に示すように、商品、商品の包装または商品陳列の用に供するものに取り付けられる商品タグ１であって、前記商品の内容および／または宣伝広告についての音声情報が記憶される記憶手段としてのメモリ１６１，１６２ａと、前記音声情報を再生するスピーカ１１と、前記音声情報の再生を開始するための再生スイッチ１２と、当該再生スイッチ１２の操作に基づいて、前記記憶手段としてのメモリ１６１，１６２ａから音声情報を読み出し、前記スピーカ１１から再生させる制御を行う制御手段としてのＣＰＵ１６２とを具備するものである。
【００３３】
これに加えて、本実施形態の商品タグ１は、図１（ａ）に示すように、商品タグ本体１０と、商品タグ１を商品に取り付けるための取り付け穴１３と、商品の内容および／または宣伝広告に関連する情報が表示されたカード１５を取り付け可能なカード取り付け手段としてのカード入れ１４とを具備し、商品タグ本体１０にスピーカ１１および再生スイッチ１２が表出している（表側から操作可能であれば、内蔵されていてもよい）。商品タグ本体１０の材質は、プラスチックやビニール等特に限定されず、大きさも適宜の大きさに適用可能である。また、カード１５には、ブランド名や商品名、商品の特徴、価格や割引率等、宣伝広告および販売促進のための内容が絵や写真、文字等により表示される。
【００３４】
このように、カード入れ１４に、商品の内容および／または宣伝広告に関連する情報が表示されたカード１５が取り付けられることにより、従前からの商品タグのように、視覚を通じて商品についての情報を得ることができる。なお、本実施形態のカード入れ１４は、カード１５の内容が読み取り可能に構成されていれば、特に限定されるものではなく、例えば、少なくともカード１５の表側（情報記載面）が透明なフィルムである２枚のフィルムを重ね合わせて袋状にシールしたものでもよいし、プラスチック等で構成される商品タグ本体１０に、カード１５を差し込み固定可能に構成したものでもよいし、単に、商品タグ本体１０にカード１５を直接貼り付けることとしてもよい。
【００３５】
また、商品タグ１は、図１（ｂ）に示すように、商品タグ本体１０の裏側または内部に、音声情報を記憶再生するための基板１６が取り付けられ、当該基板１６上に前記スピーカ１１、再生スイッチ１２、メモリ１６１，１６２ａおよびＣＰＵ１６２が実装され、ＣＰＵ１６２から各構成要素に電気的接続すべく配線されている。さらに、基板１６には、各構成部材を動かすためのバッテリ（電池）１６３および外部からメモリ１６１，１６２ａに音声情報を記憶させるための外部端子１６４も実装されている。このように、上記の構成要素が一基板１６上に実装されるため、コンパクトかつ低価格に構成することができ、様々な用途の商品タグ１に容易に適用させることができる。なお、バッテリ１６３の代わりに、外部電源から電力を供給する構成としてもよい。
【００３６】
上記構成の商品タグ１によれば、記憶手段であるメモリ１６１，１６２ａに商品タグを取り付けるべき商品の内容および／または宣伝広告についての音声情報が記憶されている。なお、メモリ１６２ａは、ＣＰＵ１６２の内部メモリであり、メモリ１６１は外部メモリであるが、いずれか一方のみでもよい。また、メモリ１６１，１６２ａは、フラッシュメモリやＥＥＰＲＯＭ等、適宜採用可能である。
【００３７】
そして、購買者が再生スイッチ１２の操作（押下）を受けた制御手段であるＣＰＵ１６２により、スピーカ１１から当該記憶された音声情報を再生させるべく制御される。なお、再生スイッチ１２は、自働復帰型のプッシュスイッチを用い、記憶されている音声情報がすべて再生されると自動的にオフする構成や、一度の操作によりオン状態を維持するプッシュスイッチ（またはレバースイッチ等）を用い、もう一度操作するまで、記憶されている音声情報を繰り返し再生する構成等、再生スイッチ１２の種類や音声情報の再生方法は種々適用可能である。
【００３８】
これにより、所定の商品についての情報を知りたい購買者が当該商品、商品の包装または商品陳列の用に供するものに取り付けられている再生スイッチ１２を操作すると、当該商品についての音声情報（例えば、材料等商品自体の特徴、価格、生産者（製造者）の声、販売店店員のお勧め情報等）がスピーカ１１から再生される。
【００３９】
図２は図１の商品タグを洋品店における商品であるスーツに適用した例を示す図である。図２に示すように、ハンガーラックに掛けられて陳列されるスーツ２の袖ボタンを商品タグ１の取り付け穴１３にはめ込むことによって商品タグ１をスーツ２に取り付けている。購買者（購買予定者）は、気になるスーツ２の袖に取り付けられた商品タグ１の再生スイッチ１２を押下することによって、例えば、カード１５の写真に写っている担当店員のお勧め情報を聞くことができる。
【００４０】
また、図３は図１の商品タグを酒販店における商品であるワインボトルに適用した例を示す図である。図３に示すように、ワインボトル３のボトルネック部分に商品タグ１を掛けるべく、糸やゴム等の輪１９が商品タグ１の取り付け穴１３に取り付けられている。購買者（購買予定者）は、商品タグ１の再生スイッチ１２を押下操作することにより、例えば、カード１５の写真に写っている生産者の生の声等を聞くことができる。
【００４１】
以上より、購買者（購買予定者）は、記憶手段であるメモリ１６１，１６２ａに記憶された音声情報により、より多くの情報を得ることができ、また、生産者の生の声等、より興味を引かせる情報を得ることができるため、購買者の購買意欲をより高めることができる。
【００４２】
なお、本実施形態においては、図１（ｂ）に示すように、外部端子１６４を有しているため、外部端子１６４に外部の録音装置を接続することにより、メモリ１６１，１６２ａに音声情報を記憶させることができる。したがって、商品タグ１が商品に取り付けられている際に余分な構成を極力省略することにより商品タグ１のコストを下げることができるとともに、音声情報として外部の録音装置に一度記憶して（声を吹き込んで）おけば、同じ商品についていちいち商品タグ１ごとに音声情報を記憶させる（声を吹き込む）必要がなくなり、手間を省くことができる。
【００４３】
また、図１（ｂ）の外部端子１６４の代わりに、無線アンテナを設けることも可能である。図４は図１（ａ）の商品タグの内部構成の他の例を説明するための概略図である。図１（ｂ）と同様の構成については同じ符号を付し、説明を省略する。図４に示す商品タグ１においては、外部端子１６４の代わりに、外部からメモリ１６１，１６２ａに音声情報を記憶させるための無線アンテナ１６５を具備する。
【００４４】
この場合、外部の録音装置から無線通信を行うことにより、記憶手段であるメモリ１６１，１６２ａに音声情報を無線記憶させることができる。したがって、外部端子１６４を具備する場合と同様に、商品タグ１が商品に取り付けられている際に余分な構成を極力省略することにより商品タグ１のコストを下げることができるとともに、音声情報として外部の録音装置に一度記憶して（声を吹き込んで）おけば、同じ商品についていちいち商品タグ１ごとに音声情報を記憶させる（声を吹き込む）必要がなくなり、手間を省くことができる。さらに、一の外部の録音装置から同時に複数の商品タグ１に対して記憶させることができるため、より効率的に記憶作業を行うことができる。
【００４５】
また、特に、販売店等で音声情報を記憶させる場合、商品タグ単体で記憶可能な構成とする方が都合のよい場合がある。図５は本発明の第２実施形態に係る商品タグを示す図である。図５（ａ）は商品タグの外部構成を示す図であり、図５（ｂ）は図５（ａ）の商品タグの内部構成を説明するための概略図である。本実施形態の商品タグ１ａが第１実施形態の商品タグ１と異なる点は、前記音声情報を前記記憶手段であるメモリ１６１，１６２ａに記憶可能なマイク１７と、当該記憶を開始するための記憶スイッチ１８とを具備するように構成されることである。図５（ａ）に示すように、第１実施形態に加えて、マイク１７および記憶スイッチ１８も商品タグ本体１０ａから表出している。なお、本実施形態においても図５（ｂ）に示すように、各構成要素を１基板１６ａ上に実装可能に構成される。
【００４６】
本実施形態の商品タグ１ａにおいては、商品の生産者（製造者）または販売店の店員等が記憶スイッチ１８を操作（押下）することにより、メモリ１６１，１６２ａへの音声記憶（録音）が可能となり、生産者等がマイクを介して商品についての音声情報をメモリ１６１，１６２ａに記憶させることができる。
【００４７】
これにより、外部機器を使用することなく、商品タグ１ａ単体で記録／再生が可能となる。また、商品タグ１ａを容易に再利用することができるため、汎用性が向上する。特に、販売店において、商品タグ１ａが取り付けられた商品が売れた後に、音声情報の異なる別の商品に対して商品タグ１ａを取り付けるべく、当該別の商品についての音声情報を記憶し直すことを容易に行うことができる。
【００４８】
なお、購買者（購買予定者）が誤って記憶スイッチ１８を操作して音声情報が書き換えられてしまうことを防止するために、記憶スイッチ１８を再生スイッチ１２より小さくしたり、商品への取り付け時には、記憶スイッチ１８に蓋を被せて目につき難くするとともに誤って触れないようにしたり、商品への取り付け時には、記憶スイッチ１８を取り外せる構成としたり、特殊な操作（例えば、再生スイッチ１２と記憶スイッチ１８とを同時に押すことによって記憶開始可能とする等）を必要とする構成としたり、種々適用可能である。
【００４９】
以下、本発明に係る商品タグの応用適用例について説明する。図６は本発明の第３実施形態に係る商品タグの適用例を示す図である。
【００５０】
本実施形態においては、商品である洋服２の陳列の用に供するために、洋服２を掛けるハンガー１０ｂに商品タグ１ｂが取り付けられる。この場合、洋服２の購入時に店員が洋服２を包装する際に、ハンガー１０ｂを取り外すことにより、商品タグ１ｂが商品である洋服２から取り外せるため、再利用する商品タグ１ｂを回収する手間を省くことができる。
【００５１】
なお、商品陳列の用に供するためのものとして、例えば、スーパーマーケットの食料品売り場等にあるショーケースにおける商品ごとの値札取り付け部や、ブリスターパック等を吊り下げて陳列するための陳列フックに、商品タグを取り付ける構成等も同様に採用可能である。
【００５２】
図７は本発明の第４実施形態に係る商品タグの適用例を示す図である。図７（ａ）は商品陳列時の状態を示すものであり、図７（ｂ）はパッケージの展開図である。
【００５３】
本実施形態においては、商品であるワインボトル３の包装であるとともに陳列の用に供する陳列パッケージ１０ｃの一部に商品タグ１ｃが取り付けられる。特定の商品（ワインボトル３）に適用可能な陳列パッケージ１０ｃとして構成してもよいし、商品タグ１ｃの付いた陳列パッケージ１０ｃを予め用意しておき、商品を陳列する際に、中に入れる商品ごとに音声情報を記憶させることとしてもよい。また、本実施形態においては、商品購入時において、陳列パッケージ１０ｃから商品タグ１ｃを取り外し可能に構成することとしてもよいし、そのまま包装する（購入者が商品タグ１ｃごと購入する）こととしてもよい。
【００５４】
本実施形態において、図７に示すような紙箱による陳列パッケージ１０ｃだけでなく、木箱、ブリスターパック、シェルパック等の各種包装用パッケージや、ギフトパッケージ等の各種袋状のパッケージ等に取り付けることも可能である。
【００５５】
本発明の商品タグは、もっぱらＰＯＰ広告（販売時点広告）のために商品等に取り付けられるもの（ＰＯＰタグ）としても適用可能である。図８は本発明の第５実施形態および第６実施形態に係る商品タグの適用例を示す図である。図８（ａ）は第５実施形態を示す図であり、図８（ｂ）は第６実施形態を示す図である。
【００５６】
第５実施形態においては、図８（ａ）に示すように、商品である冷蔵庫４の棚に帯１０ｄを介してＰＯＰ広告用の商品タグ１ｄが取り付けられる。また、第６実施形態においては、図８（ｂ）に示すように、商品である蓋付き鍋５に裏面が離型容易な粘着剤を有する貼着シート１０ｅを介してＰＯＰ広告用の商品タグ１ｅが取り付けられる。すなわち、商品に直接商品タグを貼り付ける構成を採用することも可能である。
【００５７】
次に、本発明に係るポスタについて説明する。図９は本発明の第７実施形態に係るポスタを示す図である。
【００５８】
本実施形態に係るポスタ６は、図９に示すように、広告宣伝のためのポスタ６であって、図１に示す第１実施形態の商品タグ１と同様に、前記広告宣伝の内容についての音声情報が記憶される記憶手段としてのメモリ１６１，１６２ａ（図１（ｂ）参照）と、前記音声情報を再生するスピーカ１１と、前記音声情報の再生を開始するための再生スイッチ１２と、当該再生スイッチの操作に基づいて、前記記憶手段であるメモリ１６１，１６２ａから音声情報を読み出し、前記スピーカ１１から再生させる制御を行う制御手段としてのＣＰＵ１６２（図１（ｂ）参照）とを具備するものである。そして、図１（ｂ）における基板１０と同様の構成を有する基板６０がポスタ６の一部領域の裏側にスピーカ１１および再生スイッチ１２が表側を向くように取り付けられている。なお、他の構成等は、上述した商品タグと同様に適宜、採用、変更等が可能である。
【００５９】
上記構成のポスタ６によれば、記憶手段としてのメモリ１６１，１６２ａに広告宣伝の内容についての音声情報が記憶されている。そして、購買者による再生スイッチ１２の操作（押下）を受けた制御手段としてのＣＰＵ１６２により、スピーカ１１から当該記憶された音声情報を再生させる。
【００６０】
これにより、ポスタ６に掲載された広告宣伝の内容についてより多くの情報を得たい者（購買予定者等）がポスタ６に取り付けられている再生スイッチ１２を操作すると、ポスタ６に掲載された広告宣伝の内容についての音声情報（例えば、掲載商品のより詳細な内容、宣伝文句等）がスピーカ１１から再生される。
【００６１】
図９の場合は、ＣＤの新譜の発売を予告するポスタ６であり、メモリ１６１，１６２ａには、当該新譜の一部分が記憶（録音）されている。したがって、再生スイッチ１２を押下することにより、当該新譜の試聴を行うことができる。
【００６２】
したがって、記憶手段であるメモリ１６１，１６２ａに記憶された音声情報により、掲載内容についてより多くの情報を得ることができた購買予定者等は、ポスタ６に掲載された内容についての興味をより高めることができるため、ポスタ６の広告宣伝効果をより高めることができる。
【００６３】
以下、本発明に係るポスタの応用適用例について説明する。図１０は本発明の第８実施形態に係るポスタの適用例を示す図である。
【００６４】
図１０は、飲食店の店頭に設置されるメニュースタンド７に置かれたメニューポスタ６ａに適用した例である。本実施形態において、メニューポスタ６の所定領域の裏側に取り付けられた基板６０ａは、複数の再生スイッチ１２、スピーカ１１、メモリおよびＣＰＵ（図示せず）を具備する。メモリ（それぞれ別メモリとして構成してもよいし、１のメモリ内で分けて記憶させ、複数の再生スイッチ１２のそれぞれに対応付けることとしてもよい）には、メニューの詳細（本日の料理）についての音声情報が記憶されている。来店客（来店予定者）は、再生スイッチ１２を押下することにより、本日の料理についての詳細を聞くことができる。また、店員は、本日のおすすめ品等、即時性のあるメニューについて黒板やホワイトボードに手書きする代わりとして使用することができる。
【００６５】
また、本発明は、店内にあるメニューにおいても適用可能である。図１１は本発明の第９実施形態に係るポスタの適用例を示す図である。
【００６６】
図１１は、飲食店の店内に設置されるポスタであるメニュー６ｂに適用した例である。メニュー６ｂには、料理ごとの写真カード１５が貼り付けられており、その写真カード１５ごとにスピーカ１１、再生スイッチ１２、メモリおよびＣＰＵ（図示せず）が実装された基板６０ｂがメニューの内側に取り付けられている。メモリには、メニューの詳細（料理の特徴等）についての音声情報が記憶されている。来店客は、再生スイッチ１２を押下することにより、対応する写真カード１５の料理についての詳細情報を聞くことができる。
【図面の簡単な説明】
【００６７】
【図１】本発明の第１実施形態に係る商品タグを示す図である。
【図２】図１の商品タグを洋品店における商品であるスーツに適用した例を示す図である。
【図３】図１の商品タグを酒販店における商品であるワインボトルに適用した例を示す図である。
【図４】図１（ａ）の商品タグの内部構成の他の例を説明するための概略図である。
【図５】本発明の第２実施形態に係る商品タグを示す図である。
【図６】本発明の第３実施形態に係る商品タグの適用例を示す図である。
【図７】本発明の第４実施形態に係る商品タグの適用例を示す図である。
【図８】本発明の第５実施形態および第６実施形態に係る商品タグの適用例を示す図である。
【図９】本発明の第７実施形態に係るポスタを示す図である。
【図１０】本発明の第８実施形態に係るポスタの適用例を示す図である。
【図１１】本発明の第９実施形態に係るポスタの適用例を示す図である。
【符号の説明】
【００６８】
１，１ａ，１ｂ，１ｃ，１ｄ  商品タグ
６，６ａ，６ｂ  ポスタ
１１  スピーカ
１２  再生スイッチ
１４  カード入れ（カード取り付け手段）
１５  カード
１６，１６ａ，６０，６０ａ，６０ｂ  基板
１６１  外部メモリ（記憶手段）
１６２  ＣＰＵ（制御手段）
１６２ａ  内部メモリ（記憶手段）
１６４  外部端子
１６５  無線アンテナ
１７  マイク
１８  記憶スイッチ
【図１】
2006023366.tif 000003
【図２】
2006023366.tif 000004
【図３】
2006023366.tif 000005
【図４】
2006023366.tif 000006
【図５】
2006023366.tif 000007
【図６】
2006023366.tif 000008
【図７】
2006023366.tif 000009
【図８】
2006023366.tif 000010
【図９】
2006023366.tif 000011
【図１０】
2006023366.tif 000012
【図１１】
2006023366.tif 000013